(57)【特許請求の範囲】
【請求項１】
導光板と、
該導光板の側端面のうち光入射部とされた側端面に対し、発光面を向けて前記光入射部に沿って配列された複数の発光素子と、
前記光入射部に沿って延在し、前記光入射部に対向する一方面側に前記複数の発光素子が実装された光源用基板と、
前記光源用基板の他方面側に、前記導光板が位置する側とは反対側に向けられて結合面が配置される、前記複数の発光素子に給電を行うためのコネクター部材と、
を有することを特徴とする照明装置。
【請求項２】
前記光入射部は、直線状に延在していることを特徴とする請求項１に記載の照明装置。
【請求項３】
前記光源用基板は、前記他方面側を構成する支持板と、該支持板に対して前記一方面側に貼り合わされたフレキシブル配線基板と、を備え、
前記フレキシブル配線基板の一部は、前記支持板の前記一方面側に貼り合わされずに前記他方面側に折り曲げられて前記コネクター部材に接続されていることを特徴とする請求項１または２に記載の照明装置。
【請求項４】
前記支持板は、金属板であることを特徴とする請求項３に記載の照明装置。
【請求項５】
前記コネクター部材は、前記複数の発光素子のうち、端部に位置する発光素子よりさらに前記光源用基板の長さ方向の端部の側に設けられていることを特徴とする請求項１乃至４の何れか一項に記載の照明装置。
【請求項６】
前記コネクター部材は、前記光源用基板の長さ方向において前記複数の発光素子が配列されている範囲内に設けられていることを特徴とする請求項１乃至４の何れか一項に記載の照明装置。
【請求項７】
前記コネクター部材は、前記光源用基板の前記他方面側に複数、保持されていることを特徴とする請求項１乃至６の何れか一項に記載の照明装置。
【請求項８】
請求項１乃至７の何れか一項に規定する照明装置を備えた表示装置であって、
前記導光板の光出射面側に重ねて配置された表示パネルを有していることを特徴とする表示装置。
【請求項９】
請求項８に記載の表示装置を備えていることを特徴とする電子機器。
【発明の詳細な説明】
【技術分野】
【０００１】
本発明は、導光板および発光素子を備えた照明装置、該照明装置を備えた表示装置、および該表示装置を備えた電子機器に関するものである。
【背景技術】
【０００２】
各種の表示装置のうち、液晶装置は、バックライト装置と称せられる照明装置と、この照明装置の光出射面の側に重ねて配置された透過型や半透過型の表示パネル（液晶パネル）とを有しており、照明装置では、導光板の側端面のうち、光入射部とされる側端面に沿って複数の発光素子が設けられている。また、照明装置では、導光板の光入射部に沿って光源用基板が設けられており、光源用基板において光入射部に対向する一方面側に複数の発光素子が実装されている。また、光源用基板からは配線、リード線、フレキシブル配線基板等の可撓性の配線材が引き出されており、かかる配線材を介して発光素子に給電するようになっている（特許文献１〜３）。また、特許文献１〜３のうち、特許文献１に記載の照明装置では、光源用基板から引き出された配線の先端部にコネクター部材が接続されている。
【先行技術文献】
【特許文献】
【０００３】
【特許文献１】特開２００７−２７９４８０号公報
【特許文献２】特開２００４−１６５１２４号公報
【特許文献３】特開２０１０−１１８３４８号公報
【発明の概要】
【発明が解決しようとする課題】
【０００４】
特許文献２、３に記載の構成のように、光源用基板から可撓性の配線材を引き出しただけの構成では、配線材を光源駆動部に電気的に接続するのに手間がかかる。これに対して、特許文献１に記載の構成のように、配線材にコネクター部材を接続しておけば電気的な接続を容易に行うことができる。
【０００５】
しかしながら、コネクター部材を利用する場合でも、特許文献１に記載の構成のように光源用基板から可撓性の配線材が延在していると、組み立て途中に配線材を介して光源用基板に過大な負荷が加わり、光源用基板が変形するおそれがある。かかる変形が発生すると、発光素子の光軸が傾いてしまうため、好ましくない。
【０００６】
ここに、本願発明者は、図１０に示すように、光源用基板１０８８によってコネクター部材１０７１を保持した構造の照明装置を提案するものである。より具体的には、図１０に示す照明装置１００８では、導光板１０８０の光入射部１０８０ａに沿って複数の発光素子１０８９が設けられており、かかる発光素子１０８９は、導光板１０８０の光入射部１０８０ａに沿って延在する光源用基板１０８８の一方面１８８１側に実装されている。また、光源用基板１０８８の一方面１８８１側にはコネクター部材１０７１も実装されている。従って、照明装置１００８を表示装置に組み込む際、光源駆動部から延在する配線材１０７７に接続されたコネクター部材１０７６をコネクター部材１０７１に結合させるだけで、光源用基板１０８８を介して発光素子１０８９に給電を行うことができる。従って、光源用基板１０８８から可撓性の配線材を延在させる必要がないという利点がある。
【０００７】
しかしながら、図１０に示す構成の場合、導光板１０８０とコネクター部材１０７１、１０７６との干渉を避けるには、導光板１０８０に切り欠き１８０９を設ける必要があるため、その分、照明エリアが狭くなるという問題点がある。また、導光板１０８０に対して光源用基板１０８８を配置した後、コネクター部材１０７１とコネクター部材１０７６とを接続する際、導光板１０８０が邪魔になるため、コネクター部材１０７１とコネクター部材１０７６との接続作業を行いにくいという問題点がある。
【０００８】
以上の問題点に鑑みて、本発明の課題は、発光素子が実装された光源用基板にコネクター部材を搭載した場合でも、照明エリアが広く、かつ、コネクター部材同士の接続を容易に行うことのできる照明装置、該照明装置を備えた表示装置、および該表示装置を備えた電子機器を提供することにある。
【課題を解決するための手段】
【０００９】
上記課題を解決するために、本発明に係る照明装置は、導光板と、該導光板の側端面のうち、光入射部とされた側端面に発光面を向けて前記光入射部に沿って配列された複数の発光素子と、前記光入射部に沿って延在し、前記光入射部に対向する一方面側に前記複数の発光素子が実装された光源用基板と、前記光源用基板の他方面側に保持され、前記複数の発光素子に給電を行うためのコネクター部材と、を有することを特徴とする。
【００１０】
本発明において、複数の発光素子は光源用基板の一方面に実装され、かかる光源用基板にはコネクター部材が保持されているため、コネクター部材を介して発光素子に給電を行うことができる。従って、光源用基板から可撓性の配線材を引き出す必要がないので、組み立て途中に配線材を介して光源用基板に過大な負荷が加わり、光源用基板が変形することがない。また、コネクター部材は、光源用基板の他方面側に保持されている。このため、導光板とコネクター部材との干渉を避けるために導光板に切り欠きを設ける必要がないので、照明エリアが広い。また、導光板に対して光源用基板を配置した後、コネクター部材と、このコネクター部材と対を成すコネクター部材とを接続する場合でも、導光板が邪魔にならないため、コネクター部材の接続作業を容易に行うことができる。
【００１１】
本発明において、前記光入射部は、直線状に延在していることが好ましい。すなわち、光入射部には、コネクター部材との干渉を避ける切り欠きが形成されずに直線的に延在していることが好ましく、かかる構成によれば、広い照明エリアを得ることができるという利点がある。
【００１２】
本発明において、前記光源用基板は、前記他方面側を構成する支持板と、該支持板に対して前記一方面側に貼り合わされたフレキシブル配線基板と、を備え、前記フレキシブル配線基板の一部は、前記支持板の前記一方面側に貼り合わされずに前記他方面側に折り曲げられて前記コネクター部材に接続されていることが好ましい。かかる構成によれば、光源用基板の一方面側から他方面側のコネクター部材に向けて延在する別体の配線材を用いなくてもよいという利点がある。
【００１３】
本発明において、前記支持板は金属板であることが好ましい。かかる構成によれば、発光素子で発生した熱を、金属板を介して逃がすことができる。
【００１４】
本発明において、前記コネクター部材は、前記複数の発光素子のうち、端部に位置する発光素子よりさらに前記光源用基板の長さ方向の端部の側に設けられている構成を採用することができる。
【００１５】
本発明において、前記コネクター部材は、前記光源用基板の長さ方向において前記複数の発光素子が配列されている範囲内に設けられている構成を採用してもよい。すなわち、本発明において、コネクター部材は、光源用基板の他方面側に保持されているため、光源用基板の長さ方向において複数の発光素子が配列されている範囲内に設けることができる等、コネクター部材を設ける位置に対する制約が極めて小さい。従って、発光素子への給電に適した位置にコネクター部材を設けることができる。
【００１６】
本発明において、前記コネクター部材は、前記光源用基板の前記他方面側に複数、保持されている構成を採用してもよい。すなわち、本発明において、コネクター部材は、光源用基板の他方面側に保持されているため、コネクター部材を複数設ける等、コネクター部材の数に対する制約が極めて小さい。従って、発光素子への給電に適した数のコネクター部材を設けることができる。
【００１７】
本発明に係る照明装置は表示装置に用いることができ、この場合、表示装置は、前記導光板の光出射面側に重ねて配置された表示パネルを有している。
【００１８】
本発明に係る表示装置は、液晶テレビ等の電子機器に用いられる。
【図面の簡単な説明】
【００１９】
【図１】本発明の実施の形態１に係る表示装置を備えた液晶テレビ（電子機器）の説明図である。
【図２】本発明の実施の形態１に係る表示装置の全体構成を示す説明図である。
【図３】本発明の実施の形態１に係る表示装置をさらに細かく分解したときの分解斜視図である。
【図４】本発明の実施の形態１に係る表示装置の要部の断面図である。
【図５】本発明の実施の形態１に係る表示装置の照明装置に用いた光源用基板周辺の構成を示す説明図である。
【図６】本発明の実施の形態１に係る表示装置に用いた照明装置の平面的構成を示す説明図である。
【図７】本発明の実施の形態２に係る表示装置に用いた照明装置の平面的構成を示す説明図である。
【図８】本発明の実施の形態３に係る表示装置の照明装置に用いた光源用基板周辺の構成を示す説明図である。
【図９】本発明の実施の形態４に係る表示装置に用いた照明装置の平面的構成を示す説明図である。
【図１０】従来の照明装置の断面図である。
【発明を実施するための形態】
【００２０】
図面を参照して、液晶テレビ用の表示装置に本発明を適用した形態を説明する。なお、以下の説明で参照する図においては、各層や各部材を図面上で認識可能な程度の大きさとするため、各層や各部材毎に縮尺を異ならしめてある。また、以下の説明では、導光板や液晶パネルの面内方向で互いに交差する方向の一方（図に示す導光板や液晶パネル（表示パネル）の長辺が延在する方向）をＸ軸方向とし、および他方（図に示す導光板や液晶パネルの短辺が延在する方向）をＹ軸方向とし、Ｘ軸方向およびＹ軸方向に交差する方向（図に示す導光板と液晶パネルとが積層される方向）をＺ軸方向とする。また、以下に参照する図面では、Ｘ軸方向の一方側をＸ１側とし、他方側をＸ２側とし、Ｙ軸方向の一方側（液晶パネルの張り出し部分が配置される方向）をＹ１側とし、これと対向する他方側をＹ２側とし、Ｚ軸方向の一方側（導光板の背面に向けられた方向）をＺ１側（下側）とし、これと対向する他方側（照明光や表示光が出射される側）をＺ２側（上側）として表してある。
【００２１】
［実施の形態１］
（全体構成）
図１は、本発明の実施の形態１に係る表示装置を備えた液晶テレビ（電子機器）の説明図であり、図１（ａ）、（ｂ）は、液晶テレビの外観を模式的に示す説明図、および表示装置の電気的構成を示すブロック図である。
【００２２】
図１（ａ）に示す電子機器２０００は液晶テレビであり、表示装置１００やテレビ用のフレーム２０１０等を有している。表示装置１００は、図１（ｂ）に示すように、図２等を参照して後述する表示パネル１０（液晶パネル）と、表示パネル１０に画像信号を供給する画像信号供給部２７０と、表示パネル１０に照明光を供給する照明装置８とを有している。また、表示装置１００は、表示パネル１０においてＸ軸方向に延在する走査線を駆動する走査線駆動回路１０４と、表示パネル１０においてＹ軸方向に延在するデータ線を駆動するデータ線駆動回路１０１とを有している。走査線駆動回路１０４およびデータ線駆動回路１０１については、双方が表示パネル１０に内蔵された構成を採用することができる。また、走査線駆動回路１０４およびデータ線駆動回路１０１のうちの一方が表示パネル１０に内蔵され、他方が表示パネル１０にＣＯＧ実装された駆動用ＩＣに内蔵された構成を採用することができる。また、走査線駆動回路１０４およびデータ線駆動回路１０１のうちの一方が表示パネル１０に内蔵され、他方が表示パネル１０に電気的に接続された回路基板に実装された駆動用ＩＣに内蔵された構成を採用することができる。さらには、走査線駆動回路１０４およびデータ線駆動回路１０１の双方が表示パネル１０とは別体の駆動用ＩＣに内蔵された構成等を採用することができる。
【００２３】
本形態において、照明装置８は、表示パネル１０に重ねて配置された導光板８０と、導光板８０の側端面のうち、光入射部８０ａとされた側端面に沿って配置された複数の発光素子８９と、複数の発光素子８９が実装された光源用基板８８と、発光素子８９を駆動する光源駆動部２８０とを有している。本形態において、表示パネル１０は横長の四角形であり、４つの辺１０ａ、１０ｂ、１０ｃ、１０ｄを有している。これらの辺１０ａ、１０ｂ、１０ｃ、１０ｄのうち、辺１０ａはＹ軸方向の一方側Ｙ１に位置する長辺であり、辺１０ｂはＹ軸方向の他方側Ｙ２に位置する長辺であり、辺１０ｃはＸ軸方向の他方側Ｘ２に位置する短辺であり、辺１０ｄはＸ軸方向の一方側Ｘ１に位置する短辺である。かかる形状に対応して、導光板８０は、４つの側端面８０１、８０２、８０３、８０４を有している。これらの側端面８０１、８０２、８０３、８０４のうち、側端面８０１はＹ軸方向の一方側Ｙ１の長辺に位置し、側端面８０２はＹ軸方向の他方側Ｙ２の長辺に位置し、側端面８０３はＸ軸方向の一方側Ｘ１の短辺に位置し、側端面８０４はＸ軸方向の他方側Ｘ２の短辺に位置する。本形態では、導光板８０の４つの側端面８０１、８０２、８０３、８０４のうち、短辺方向（Ｙ軸方向）で対向する２つの側端面８０１、８０２が光入射部８０ａになっている。このため、発光素子８９は、導光板８０の２つの側端面８０１、８０２（光入射部８０ａ）の各々に沿って配列され、光源用基板８８は、導光板８０の２つの側端面８０１、８０２（光入射部８０ａ）の各々に沿って延在している。
【００２４】
なお、本形態では、光源駆動部２８０による発光素子８９に対する給電は、後述するように、配線材７７、コネクター部材７１、７６からなるコネクター７０、光源用基板８８を介して行われる。
【００２５】
（表示装置１００の具体的構成）
図２は、本発明の実施の形態１に係る表示装置１００の全体構成を示す説明図であり、図２（ａ）、（ｂ）は、表示装置１００の斜視図および分解斜視図である。図３は、本発明の実施の形態１に係る表示装置１００をさらに細かく分解したときの分解斜視図である。図４は、本発明の実施の形態１に係る表示装置１００の要部の断面図であり、図４（ａ）、（ｂ）は、表示装置１００を図１（ａ）のＡ−Ａ′線に沿って切断したときの断面図、および表示装置１００を図１（ａ）のＢ−Ｂ′線に沿って切断したときの断面図である。
【００２６】
図２、図３および図４において、本形態の表示装置１００は、概ね、いわゆるバックライト装置と称せられる照明装置８と、この照明装置８の上面に重ねて配置された透過型の表示パネル１０とを備えている。本形態において、表示パネル１０は、透過型の液晶パネルからなる。表示装置１００において、照明装置８は、下側（Ｚ軸方向の一方側Ｚ１）で導光板８０の背面を覆うように配置された金属製の第１フレーム４０（下金枠／金属フレーム）と、第１フレーム４０の上方で表示パネル１０の端部を保持するとともに照明装置８を囲って保持する樹脂製の第２フレーム３０（樹脂フレーム）と、第２フレーム３０の上側（Ｚ軸方向の他方側Ｚ２）に配置された金属製の第３フレーム５０（上金枠）とを備えている。
【００２７】
第２フレーム３０は、表示パネル１０の端部を保持するとともに表示パネル１０の周りを囲む矩形枠形状を有しており、本形態において、第２フレーム３０は、表示パネル１０の４つの辺に対応して４つの辺毎に分割された４本のフレーム板３１、３２、３３、３４からなる。本形態において、第２フレーム３０は黒色であり、光吸収部材として機能することによって、照明装置８内での迷光の発生を防止する。フレーム板３１、３２、３３、３４は各々、フレーム板３１、３２、３３、３４の外面側で下方に延在する側板部３１１、３２１、３３１、３４１と、側板部３１１、３２１、３３１、３４１の上端縁から内側に向かって屈曲した上板部３１５、３２５、３３５、３４５（端板部）と、上板部３１５、３２５、３３５、３４５の高さ方向の途中位置から内側に張り出した突板部３１２、３２２、３３２、３４２とを備えている。このため、フレーム板３１、３２、３３、３４の内側には、突板部３１２、３２２、３３２、３４２によって段部３１３、３２３、３３３、３４３が形成されており、かかる段部３１３、３２３、３３３、３４３と突板部３１２、３２２、３３２、３４２とによって表示パネル１０が保持されている。また、突板部３１２の下側には、照明装置８の導光板８０や発光素子８９等が配置されている。
【００２８】
第１フレーム４０は、ＳＵＳ板等の薄い金属板に対するプレス加工等により形成されてなる。第１フレーム４０は、底板部４５と、底板部４５の外周縁のうち、Ｙ軸方向の一方側Ｙ１を除く３つの辺から起立する３つの側板部４２、４３、４４とを備えており、上面が開口する矩形の箱状になっている。かかる第１フレーム４０の側板部４２、４３、４４の外側に第２フレーム３０の側板部３２１、３３１、３４１が重なっている。また、第２フレーム３０の側板部３１１は、第１フレーム４０のＹ軸方向の一方側Ｙ１を覆っている。
【００２９】
第３フレーム５０も、第１フレーム４０と同様、ＳＵＳ板等の薄い金属板に対するプレス加工等により形成されてなる。第３フレーム５０は、矩形の上板部５５（端板部）と、上板部５５の外周縁から下方に折れ曲がった４つの側板部５１、５２、５３、５４とを備えており、下面が開口する矩形の箱状になっている。側板部５１、５２、５３、５４は、第２フレーム３０の側板部３１１、３２１、３３１、３４１の外側に重なっている。上板部５５には、表示パネル１０から出射された光を出射する矩形の窓５５０が形成されており、上板部５５は、表示パネル１０の表示光出射側のうち、外周端部を全周にわたって覆っている。
【００３０】
このように構成した第３フレーム５０、第２フレーム３０、および第１フレーム４０はネジ（図示せず）等により結合されて、内側に表示パネル１０や照明装置８を保持する。ここで、第２フレーム３０の突板部３１２、３２２、３３２、３４２の下面および上面には、図４に示すように、可撓性シート９１、９２が貼られている。このため、表示装置１００を組み立てた際、表示パネル１０は可撓性シート９２を介して突板部３１２〜３４２に支持される。また、表示装置１００を組み立てた際、照明装置８は可撓性シート９１を介して支持される。また、表示装置１００を組み立てた際、照明装置８の光学シート（拡散シート１８２、プリズムシート１８３、１８４等）は可撓性シート９１を介して浮きや位置ズレが生じないように抑えられている。
【００３１】
（表示パネル１０の構成）
図２、図３および図４に示すように、表示パネル１０は、四角形の平面形状を有しており、画素電極（図示せず）等が形成された素子基板１１と、素子基板１１に対して所定の隙間を介して対向配置された対向基板１２と、この対向基板１２と素子基板１１とを貼り合せるシール材１４とを備えている。かかる表示パネル１０では、シール材１４で囲まれた領域内に液晶層１３が保持されている。素子基板１１および対向基板１２はガラス基板等の透光性基板からなる。素子基板１１では、Ｘ軸方向に複数本の走査線（図示せず）が延在している一方、Ｙ軸方向には複数本のデータ線が延在しており、走査線とデータ線（図示せず）との交差に対応して、スイッチング素子（図示せず）および画素電極が設けられている。
【００３２】
本形態では、対向基板１２が表示光の出射側に配置され、素子基板１１は照明装置８の側に配置されている。また、対向基板１２において、素子基板１１と対向する面には、シール材１４の内縁に沿って、遮光層からなる額縁層（図示せず）が形成されている。表示パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成されており、素子基板１１に画素電極が形成され、対向基板１２に共通電極（図示せず）が形成されている。なお、表示パネル１０がＩＰＳ（In Plane Switching）方式や、ＦＦＳ（Fringe Field Switching）方式の液晶パネルである場合、共通電極は、素子基板１１の側に設けられる。また、素子基板１１が対向基板１２に対して表示光の出射側に配置されることもある。表示パネル１０の上面には上偏光板１８が重ねて配置され、表示パネル１０の下面と照明装置８との間には下偏光板１７が配置されている。
【００３３】
本形態において、素子基板１１は対向基板１２より大きい。このため、素子基板１１は、Ｙ軸方向の一方側Ｙ１において対向基板１２の端部から張り出した張り出し部分１１０を有しており、かかる張り出し部分１１０の上面には複数枚のフレキシブル配線基板２００が接続されている。フレキシブル配線基板２００は、リジット基板からなる回路基板２５０に接続されており、かかる回路基板２５０には、図１を参照して説明した画像信号供給部２７０を構成する制御用ＩＣ（図示せず）や、光源駆動部２８０を構成する光源駆動用ＩＣ（図示せず）が実装されている。
【００３４】
（照明装置８の構成）
図５は、本発明の実施の形態１に係る表示装置１００の照明装置８に用いた光源用基板８８周辺の構成を示す説明図であり、図５（ａ）、（ｂ）は、光源用基板８８の一方面８８１側の様子を模式的に示す説明図、および光源用基板８８の他方面８８２側の様子を模式的に示す説明図である。なお、導光板８０のＹ軸方向で相対向する２つの側端面８０１、８０２（光入射部８０ａ）に配置された発光素子８９や光源用基板８８の構成は同一である。従って、図５（ａ）には、導光板８０の側端面８０２に配置された発光素子８９や光源用基板８８を示し、図５（ｂ）には、導光板８０の側端面８０１に配置された発光素子８９や光源用基板８８を示してある。
【００３５】
図３および図４に示すように、照明装置８は、表示パネル１０の下面側に重ねて配置された導光板８０と、導光板８０の光入射部８０ａに発光面８９ａを向けて光入射部８０ａの一方端側（Ｘ軸方向の一方側Ｘ１）から他方端側（Ｘ軸方向の他方側Ｘ２）に向かって配列された複数の発光素子８９とを備えている。本形態において、複数の発光素子８９は、光入射部８０ａに沿ってＸ軸方向に延在する光源用基板８８の一方面８８１に実装されている。発光素子８９は、白色光を出射するＬＥＤ（Light Emitting Diode）であり、光源光を発散光として出射する。
【００３６】
本形態の照明装置８において、導光板８０の側端面８０１、８０２、８０３、８０４のうち、Ｙ軸方向で相対向する２つの側端面８０１、８０２が光入射部８０ａとして利用されている。このため、複数の発光素子８９は、導光板８０の２つの光入射部８０ａ（側端面８０１、８０２）に発光面８９ａを向け、２つの光入射部８０ａ（側端面８０１、８０２）の各々の一方端側から他方端側に向かって配列されている。また、光源用基板８８は、２つの光入射部８０ａ（側端面８０１、８０２）に沿って２枚が延在しており、かかる２枚の光源用基板８８の各々の一方面８８１に複数の発光素子８９が実装されている。
【００３７】
本形態において、導光板８０は、アクリル樹脂やポリカーボネート樹脂等からなる透光性の樹脂板であり、導光板８０の下面８０ｃと第１フレーム４０の底板部４５との間には反射シート１８７が重ねて配置されている。また、導光板８０の上面（光出射面８０ｂ）と表示パネル１０との間には拡散シート１８２、プリズムシート１８３、１８４等の光学シートが重ねて配置されている。本形態において、２枚のプリズムシート１８３、１８４は、互いの稜線が直交するように配置されている。このため、導光板８０の光出射面８０ｂから出射された照明光は、拡散シート１８２によって全方向に拡散した後、２枚のプリズムシート１８３、１８４によって、表示パネル１０の正面方向にピークを持つような指向性が付与されている。導光板８０において、反射シート１８７が位置する側の面には、凹状の微細な窪みや、散乱部材の印刷層からなる散乱パターンが形成されており、本形態において、散乱パターンの密度は、発光素子８９から離れるに従って高くなっている。このため、導光板８０から出射される照明光の強度分布は、発光素子８９からの距離にかかわらず、均一化されている。かかる散乱パターンとして、本形態では、導光板８０の下面８０ｃに微細な凹部８０ｅが多数設けられている。
【００３８】
第１フレーム４０の底板部４５は、導光板８０において側端面８０１が位置する側と重なる領域において、導光板８０の下面８０ｃと第１フレーム４０との間に隙間が確保できるように段差が部分的に形成されており、導光板８０に向けて折れ曲がっている。それにより、導光板８０の下面８０ｃと底板部４５との間に反射シート１８７と光源支持部材６０の下板部６１とを隙間の間で挟持可能になっている。また、第１フレーム４０の底板部４５を導光板８０に向けて部分的に折り曲げたことによって第１フレーム４０の背面側には凹部が形成されるので、第１フレーム４０の底板部４５の下面（背面）までフレキシブル配線基板２００を折り曲げて延在させるとともに、かかる凹部内に回路基板２５０が凹部の深さ内に収納されるように配置されている。このため、照明装置８の薄型化を図ることができる。
【００３９】
本形態において、光源用基板８８は、発光素子８９が実装されている一方面８８１が導光板８０の光入射部８０ａに対向するように配置されている。また、光源用基板８８は、光入射部８０ａに沿って延在する板状の金属板８８７（支持板）の一方面８８１側に、配線パターンやランドが絶縁層とともに設けられた構造を有している。かかる構成は、金属板８８７の一方面８８１側に、樹脂基材層、配線パターンおよび絶縁保護層等がこの順に積層されたフレキシブル配線基板８８８を貼り合わせることにより実現することができる。従って、配線パターンおよび発光素子８９のチップが実装されるランドは、金属板８８７から電気的に絶縁されている。本形態において、金属板８８７はアルミニウム板からなり、金属板８８７は、光源用基板８８の機械的強度を確保するとともに、発光素子８９から発熱される熱の放熱板としても機能する。
【００４０】
図３、図４および図５に示すように、２枚の光源用基板８８の各々の他方面８８２側には、光源用基板８８を保持する光源支持部材６０が各々配置されており、光源支持部材６０は、第１フレーム４０および第２フレーム３０の間に配置されて保持されている。本形態において、光源支持部材６０は、光源用基板８８の他方面８８２に沿って延在する棒状の金属部品である。光源支持部材６０は、第１フレーム４０の底板部４５に重なる下板部６１と、下板部６１の幅方向の途中位置から上方に突出した壁面を構成する基板支持板部６２とを有している。また、光源支持部材６０は、基板支持板部６２から導光板８０が位置する側とは反対側に折れ曲がった上板部６３を基板支持板部６２の上端側（下板部６１と反対の側）に備えており、上板部６３は、ネジ等によって第３フレーム５０の上板部５５および第２フレーム３０の上板部３１５、３２５の少なくともいずれか一方に固定されている。
【００４１】
かかる構成の光源支持部材６０において、基板支持板部６２の導光板８０が位置する側の面は、光源用基板８８を保持する基板保持面６２０になっており、ネジ等によって、基板保持面６２０には光源用基板８８が固定されている。この状態で、光源用基板８８は、他方面８８２（金属板８８７）の全面が光源支持部材６０の基板保持面６２０に面接触し、密着した状態で重なっている。また、光源支持部材６０は、アルミニウムや鉄系金属等の金属製である。このため、発光素子８９で発生した熱は、光源用基板８８の金属板８８７から光源支持部材６０に伝達され、光源支持部材６０の熱は第１フレーム５０に伝達される。従って、発光素子８９の温度上昇を低く抑えることができる。
【００４２】
（コネクター部材７１の構成）
図６は、本発明の実施の形態１に係る表示装置１００に用いた照明装置８の要部の平面的構成を示す説明図である。
【００４３】
図５および図６に示すように、本形態の照明装置８において、導光板８０のＹ軸方向で相対向する２つの側端面８０１、８０２（光入射部８０ａ）のいずれの側でも、光源用基板８８の他方面８８２の側（導光板８０が位置する側とは反対側）には、光源用基板８８の長手方向の一方側の端部において、結合面を備えたコネクター部材７１が実装されている。より具体的には、光源用基板８８において、Ｘ軸方向の一方側Ｘ２に位置する端部は、光源支持部材６０のＸ軸方向の一方側Ｘ２の端部より突出した突出部８６になっており、かかる突出部８６の他方面８８２側（外側）にコネクター部材７１が搭載されている。従って、２つの光源用基板８８のそれぞれに実装されたコネクター部材７１は、Ｘ軸方向の同じ側（Ｘ２側）に寄せられて配置されている。ここで、導光板８０の光入射部８０ａとなる側端面８０１、８０２のいずれの側でも、コネクター部材７１の結合面は、導光板８０と対向して配置されておらず、導光板８０が位置する側とは反対側に向いている。従って、コネクター部材７１の結合面が外側に向けられて配置されているので、第１フレーム４０の外側（外部）に光源駆動部２８０が配置された場合において、接続作業を容易に行うことができる。なお、コネクター部材７１の結合面とは、コネクター部材７１と対をなすコネクター部材７６と結合される面側をいう。ここで、コネクター部材７１およびコネクター部材７６においては、いずれか一方が雄コネクターで、他方が雌コネクターである。雄コネクターの場合、凸状の結合面に端子が形成され、雌コネクターの場合、凹状の結合面に端子が形成されている。
【００４４】
本形態において、フレキシブル配線基板８８８のＸ軸方向の一方側Ｘ２の端部８８９（フレキシブル配線基板８８８の一部）は、金属板８８７の延在方向（長手方向）における長さよりも長く形成されており、長く形成された部分は金属板８８７の端部の側面を包むように覆って、金属板８８７の他方面８８２側に折り曲げられている。かかるフレキシブル配線基板８８８の端部８８９は、結合面が外側（金属板８８７と反対側）を向いて配置されるようにコネクター部材７１に実装されている。また、フレキシブル配線基板８８８の端部８８９は、金属板８８７の他方面８８２に接着等の方法により固定されており、コネクター部材７１は、フレキシブル配線基板８８８の端部８８９を介して金属板８８７に固定されている。また、光源用基板８８の一方面８８１において、コネクター部材７１が搭載されている箇所と重なる領域には発光素子８９が実装されておらず、コネクター部材７１は、複数の発光素子８９のうち、端部に位置する発光素子８９よりさらに光源用基板８８の長さ方向の端部の側に設けられている。
【００４５】
また、図１に示す光源駆動部２８０から延在するリード線やフレキシブル配線基板等の可撓性の配線材７７の先端には、コネクター部材７１とコネクター７０を構成するコネクター部材７６が接続されている。従って、コネクター部材７１、７６を結合すれば、光源駆動部２８０は、配線材７７、コネクター７０、フレキシブル配線基板８８８を介して発光素子８９に給電を行うことができる。
【００４６】
このように構成した照明装置８において、光源用基板８８から導光板８０に向けて突出しているのは発光素子８９のみである。このため、導光板８０において、光入射部８０ａとされた側端面８０１、８０２は、Ｘ軸方向に直線的に延在しており、切り欠き等が形成されていない。
【００４７】
また、本形態では、第１フレーム４０の底板部４５の下方側に光源駆動部２８０が配置されているため、第１フレーム４０の底板部４５には、配線材７７を第１フレーム４０の底板部４５の下方側に引き回すための切り欠き４５０が形成されている。
【００４８】
（本形態の主な効果）
以上説明したように、本形態の照明装置８および表示装置１００では、導光板８０の光入射部８０ａに沿って複数の発光素子８９が配列され、かかる複数の発光素子８９は、光入射部８０ａに沿って延在する剛性の光源用基板８８に実装されている。また、光源用基板８８にはコネクター部材７１が保持されている。このため、コネクター部材７１を介して発光素子８９に給電を行うことができる。従って、光源用基板８０から可撓性の配線材を引き出す必要がないので、組み立て途中に配線材を介して光源用基板８０に過大な負荷が加わり、光源用基板８０が変形することがない。それ故、光源用基板８０の変形によって発光素子８９の光軸が傾くこともない。
【００４９】
また、発光素子８９は、光源用基板８８の一方面８８１側（導光板８０が位置する側）に実装され、コネクター部材７１は、光源用基板８８の他方面８８２側に保持されている。このため、導光板８０とコネクター部材７１との干渉を避けるために導光板８０に切り欠きを設ける必要がない。このため、光入射部８０ａが直線状に延在しているので、照明エリアが広い。また、導光板８０に対して光源用基板８８を配置した後、コネクター部材７１、７６を接続する場合でも、導光板８０が邪魔にならないため、コネクター部材７１、７６の接続作業を容易に行うことができる。
【００５０】
また、光源用基板８８は、支持板としての金属板８８７と、金属板８８７の一方面８８１側に貼り合わされたフレキシブル配線基板８８８とを備えており、フレキシブル配線基板８８８の端部８８９（フレキシブル配線基板８８８の一部）は、金属板８８７の一方面８８１側に貼り合わされずに他方面８８２側に折り曲げられてコネクター部材７１に接続されている。このため、光源用基板８８の一方面８８１側から他方面８８２側のコネクター部材７１に向けて別体の配線材を延在させなくてもよいという利点がある。
【００５１】
また、光源用基板８８では、支持板として金属板８８７が用いられている。また、光源用基板８８の他方面８８２を構成する金属板８８７には金属製の光源支持部材６０の基板支持板部６２が重ねて配置されている。このため、発光素子８９の熱を光源用基板８８、光源支持部材６０および金属製の第１フレーム４０によって逃がすことができる。
【００５２】
［実施の形態２］
図７は、本発明の実施の形態２に係る表示装置１００に用いた照明装置８の要部の平面的構成を示す説明図である。なお、本形態の基本的な構成は、実施の形態１と同様であることから、共通する部分には同一の符号を付して、それらの説明を省略する。
【００５３】
実施の形態１では、光源用基板８８に対してコネクター部材７１を１つ設けたが、光源用基板８８の長手方向で離間する位置に複数のコネクター部材７１を設けてもよい。例えば、図７に示す照明装置８では、光源用基板８８の両端部にコネクター部材７１が設けられている。すなわち、本形態では、コネクター部材７１が光源用基板８８の他方面８８２側に保持されているため、コネクター部材７１の数に対する制約が極めて小さい。従って、発光素子への給電に適した数のコネクター部材７１を設けることができる。それ故、表示装置１００の表示面の大型化に伴って、発光素子８９の数を増やした場合でも、複数のコネクター部材７１を経由して発光素子８９に給電を行うことができる。
【００５４】
［実施の形態３］
図８は、本発明の実施の形態３に係る表示装置１００の照明装置８に用いた光源用基板８８周辺の構成を示す説明図であり、図８（ａ）、（ｂ）は、光源用基板８８の一方面８８１側の様子を模式的に示す説明図、および光源用基板８８の他方面８８２側の様子を模式的に示す説明図である。なお、導光板８０のＹ軸方向で相対向する２つの側端面８０１、８０２（光入射部８０ａ）に配置された発光素子８９や光源用基板８８の構成は同一である。従って、図８（ａ）には、導光板８０の側端面８０２に配置された発光素子８９や光源用基板８８を示し、図８（ｂ）には、導光板８０の側端面８０１に配置された発光素子８９や光源用基板８８を示してある。
【００５５】
上記実施の形態１、２では、光源用基板８８の端部にコネクター部材７１を設ける際、光源用基板８８の一方面８８１において、コネクター部材７１が搭載されている箇所と重なる領域には発光素子８９が実装されていない構成であったが、図８に示すように、光源用基板８８の一方面８８１において、コネクター部材７１が搭載されている箇所と重なる領域にも発光素子８９が実装されている構成を採用している。すなわち、発光素子８９は光源用基板８８の端部にまで配列されて実装されており、最も外側に配置された発光素子８９の裏面側に互いの実装（搭載）領域の少なくとも一部が重なるようにコネクター部材７１が配置されている。従って、光源支持部材６０から光源支持部材６０の延在方向に光源用基板８８が突出して張り出しており、突出して張り出した部分の導光板８０と対向しない側の面（他方面８８２側）にコネクター部材７１が配置され、対応したコネクター部材７６が結合している。コネクター部材７１は、光源用基板８８の端部に設けられているが、光源用基板８８の長手方向において複数の発光素子８９が配列されている範囲内に設けられている。かかる構成によれば、コネクター部材７１を用いる場合でも、光源用基板８８の幅寸法（Ｘ軸方向の寸法）を必要最小限に抑えることができる。つまり、光源用基板８８において、コネクター部材７１を導光板８０と対向しない裏面に搭載することで光源用基板８８の端部にまで引き詰めて発光素子８９を配列させて配置させることができる。従って、導光板８０の発光素子８９の配列方向（Ｘ軸方向）における端部からの光入射が可能となり、導光板８０の端部においても領域を無駄にすることなく照明装置８として有効に広く活用することができる。
【００５６】
［実施の形態４］
図９は、本発明の実施の形態４に係る表示装置１００に用いた照明装置８の要部の平面的構成を示す説明図である。なお、本形態の基本的な構成は、実施の形態１と同様であることから、共通する部分には同一の符号を付して、それらの説明を省略する。
【００５７】
図９に示すように、本形態でも、実施の形態２と同様、光源用基板８８の長手方向で離間する位置に２つのコネクター部材７１が設けられている。ここで、複数のコネクター部材７１のうち、一方のコネクター部材７１（コネクター部材７１１）は、光源用基板８８の端部に設けられている。これに対して、他方のコネクター部材７１（コネクター部材７１２）は、光源用基板８８の長手方向の略中央に設けられており、複数の発光素子８９が配列されている範囲内に設けられている。すなわち、本形態では、コネクター部材７１が光源用基板８８の他方面８８２側に保持されているため、コネクター部材７１の配置位置に対する制約が極めて小さい。従って、発光素子への給電に適した数のコネクター部材７１を設けることができる。それ故、表示装置１００の表示面の大型化に伴って、発光素子８９の数を増やした場合でも、光源用基板８８の端部に設けたコネクター部材７１（コネクター部材７１１）、および光源用基板８８の長さ方向の略中央に設けたコネクター部材７１（コネクター部材７１２）を経由して発光素子８９に給電を行うことができる。
【００５８】
なお、光源用基板８８の長さ方向の略中央にコネクター部材７１（コネクター部材７１２）を設ける場合には、図５等を参照して説明した光源支持部材６０の基板支持板部６２等を部分的に切り欠いて、光源用基板８８の他方面８８２にコネクター部材７１を配置すればよい。また、光源用基板８８の長さ方向の略中央に設けたコネクター部材７１（コネクター部材７１２）と発光素子８９とを電気的に接続するには、フレキシブル配線基板８８８の長さ方向の途中部分から分岐した部分（フレキシブル配線基板８８８の一部）を光源用基板８８の他方面８８２側に折り曲げてコネクター部材７１２に接続すればよい。
【００５９】
［他の実施の形態］
上記実施の形態では、１つの光源用基板８８に複数のコネクター部材７１を設けた例として、２つのコネクター部材７１を設けた例を説明したが、３つ以上のコネクター部材７１を設けてもよい。
【００６０】
上記実施の形態４では、光源用基板８８の端部と、光源用基板８８の長さ方向の略中央にコネクター部材７１を設けた例を説明したが、光源用基板８８の長さ方向の略中央のみにコネクター部材７１を設けてもよい。
【００６１】
上記実施の形態１〜４では、導光板８０の側端面８０１の側と、導光板８０の側端面８０２の側とにおいて、発光素子８９、光源用基板８８、コネクター部材７１を同一の構成をもって設けたが、導光板８０の側端面８０１の側と、導光板８０の側端面８０２の側とを異なる構成としてもよい。また、上記実施の形態１〜４では、導光板８０の側端面８０１の側、および導光板８０の側端面８０２の側の双方に本発明を適用したが、一方のみに本発明を適用してもよい。
【００６２】
上記実施の形態１〜３では、導光板８０の側端面８０１の側、および導光板８０の側端面８０２の側の双方に、発光素子８９、光源用基板８８、コネクター部材７１を設けたが、一方のみに発光素子８９、光源用基板８８、コネクター部材７１を設けた照明装置８に本発明を適用してもよい。
【００６３】
［電子機器への搭載例］
上述実施形態では、表示装置１００を搭載した電子機器２０００として、液晶テレビを例示したが、液晶テレビ以外にも、パーソナルコンピューターのディスプレイ、デジタルサイネージ、カーナビゲーション装置、携帯用情報端末等の電子機器の表示部に本発明を適用した表示装置１００を用いてもよい。
【符号の説明】
【００６４】
８・・照明装置、１０・・表示パネル、３０・・第２フレーム、４０・・第１フレーム、５０・・第３フレーム、６０・・光源支持部材、７１・・コネクター部材、８０・・導光板、８０ａ・・光入射部、８０ｂ・・光出射面、８８・・光源用基板、８９・・発光素子（光源）、１００・・表示装置、８８７・・金属板（支持板）、８８８・・フレキシブル配線基板、８８９・・フレキシブル配線基板の端部
【図１】
0005857496.tif 000002
【図２】
0005857496.tif 000003
【図３】
0005857496.tif 000004
【図４】
0005857496.tif 000005
【図５】
0005857496.tif 000006
【図６】
0005857496.tif 000007
【図７】
0005857496.tif 000008
【図８】
0005857496.tif 000009
【図９】
0005857496.tif 000010
【図１０】
0005857496.tif 000011